(57)【要約】【課題】あと付けで簡単に水平ブレースを設置することを可能にするあと付けブレースの接合構造を提供する。【解決手段】フランジを有する鉄骨で構成された通し梁７と、通し梁に対して水平方向に略直交する方向に連設された直交梁８と、の接合部に、水平ブレース６をあと付けするための構造Ａであって、通し梁のフランジ７ａの外面に対向配置され、水平ブレースが接続される板状の固定板１０と、固定板とともにフランジを挟み込むように配設された水平板部９ａと、水平板部に直交する方向に延設され通し梁のウェブ７ｂに連結される鉛直板部９ｂと、を備えたアングル部材９と、フランジの側端面に並設配置され、固定板と、水平板部と、の間に介装される介装板１２と、を備え、鉛直板部とウェブとがボルト接合され、固定板、介装板、および水平板部がボルト接合されている。【選択図】図２
2020002743.tif 000002
【特許請求の範囲】
【請求項１】
フランジを有する鉄骨で構成された通し梁と、該通し梁に対して水平方向に略直交する方向に連設された直交梁と、の接合部に、水平ブレースをあと付けするための構造であって、
前記通し梁のフランジの外面に対向配置され、前記水平ブレースが接続される板状の固定板と、
前記固定板とともに前記フランジを挟み込むように配設された水平板部と、該水平板部に直交する方向に延設され前記通し梁のウェブに連結される鉛直板部と、を備えたアングル部材と、
前記フランジの側端面に並設配置され、前記固定板と、前記水平板部と、の間に介装される介装板と、を備え、
前記鉛直板部と前記ウェブとがボルト接合され、
前記固定板、前記介装板、および前記水平板部がボルト接合されていることを特徴とするあと付けブレースの接合構造。
【請求項２】
フランジを有する鉄骨で構成された通し梁に、水平ブレースをあと付けするための構造であって、
前記通し梁のフランジの外面に対向配置され、前記水平ブレースが接続される板状の固定板と、
前記固定板とともに前記フランジを挟み込むように配設された水平板部と、該水平板部に直交する方向に延設され前記通し梁のウェブに連結される鉛直板部と、を備えたアングル部材と、
前記フランジの側端面に並設配置され、前記固定板と、前記水平板部と、の間に介装される介装板と、を備え、
前記鉛直板部と前記ウェブとがボルト接合され、
前記固定板、前記介装板、および前記水平板部がボルト接合されていることを特徴とするあと付けブレースの接合構造。
【請求項３】
前記鉛直板部と前記ウェブとの間に、スペーサが介装されていることを特徴とする請求項１または２に記載のあと付けブレースの接合構造。
【発明の詳細な説明】
【技術分野】
【０００１】
本発明は、既存の工場施設や体育館などの大空間の屋根面を対象として、あと付けで簡単に水平ブレースを設置するための構造に関する。
【背景技術】
【０００２】
例えば、工場施設や体育館などの大空間施設では、大きな地震による揺れで天井の落下、間仕切り壁の倒壊、吊り設備機器の破壊などが生じ、機能不全に陥るケースがある。このような被害を低減させる対策として、一般に、天井・間仕切り壁・吊り設備自体の固定度を高めるなどの対策が講じられている。
【０００３】
ここで、建物全体で見た場合、被害の根本的な原因として屋根面の面内剛性の不足がある。屋根面剛性の不足は、鉛直構面（柱や壁）間で過大な水平変位の差を生じさせたり、柱スパン間の屋根面自体の過大な変形を生じさせ、屋根面に固定した天井・間仕切り壁・吊り設備に想定外の変形を与えて破壊に至らしめる要因となる。
【０００４】
このため、大空間施設では屋根面剛性の向上が本質的な耐震補強対策になる。特に１９８１年以前の「旧耐震」で設計された工場施設や体育館では既存屋根面ブレースの耐力や剛性が不足していることが多く、これらの既存屋根構造に対し、あと付け水平ブレースを設置して所望の耐震性能を確保することが提案、実用化されている。
【０００５】
あと付け水平ブレースを設置する対策は、供用中の建物の屋根面架構に鉄骨の水平ブレースを多数設置することになるため、簡単に水平ブレースを屋根面架構に接合可能な工法が求められる。また、工場施設では床面に生産設備機器や資材が置かれていることから、屋根面工事における溶接作業などの火気や孔開け加工作業に伴う鋼材の切りくずの落下を避けることも必要になる。また一方で、水平ブレースの端部を接合固定する対象施設の鉄骨が古く溶接に適さない鋼材である場合もある。
【０００６】
これに対し、特許文献１には、大スパンの工場施設の屋根架構として多い「既設トラス架構」を対象とし、既存部材の外周を２分割された一対のクランプ部材で挟み、クランプ部材同士をボルトで締め込むことにより、一対のクランプ部材と既存部材の間の摩擦力で既存部材とあと付けの水平ブレースを接合設置する手法が開示されている。
【０００７】
特許文献２には、特許文献１における既存部材とクランプ部材の間に接着剤を介装して既存部材とあと付けの水平ブレースを接合設置する手法が開示されている。
【０００８】
特許文献３には、既存工場施設の屋根面架構の構成部材のＨ形鋼や山形鋼のフランジの外側を添板で挟み、これらを高力ボルトで締め込むことによって既存部材のフランジと添板間に摩擦力を発生させて固定するあと付け部材の摩擦接合構造が開示されている。
【先行技術文献】
【特許文献】
【０００９】
【特許文献１】特開２００７−３０３０６６号公報
【特許文献２】特開２００９−１０２８７７号公報
【特許文献３】特開２００８−２２６８号公報
【発明の概要】
【発明が解決しようとする課題】
【００１０】
しかしながら、特許文献１の手法においては、既存部材の材軸直交方向に機械的な固定が可能であるが、材軸方向には摩擦力を発生させるための締付け軸力の管理や摩擦面処理作業が必要となる。この締付け軸力の管理手法を考えた場合、従来、高力ボルト周辺での摩擦力の確保が既製工法として確立されているが、高力ボルトから離れた箇所に関しては摩擦面外の軸力の保証が無く、ボルトから離れるほど軸力が低下し摩擦力が働かなくなる。さらに、摩擦面処理作業は、既存部材の表面にサンダー掛けやブラスト処理の作業を行うことであり、作業手間となるばかりでなく、床面や施設内に粉塵が飛散する。
【００１１】
特許文献２の手法は、特許文献１の摩擦接合に伴う問題点を、既存部材とクランプ部材の間に接着剤を使用することで解消したものであるが、水平ブレースを多数設置する工場施設等においては、接着剤を用いることで材料コストが嵩み、さらに接着剤の塗布作業で発生する作業時間の累積が大きなコスト増を招く。
【００１２】
特許文献３の手法は、高力ボルトによる摩擦接合であるため、高力ボルト張力の効きがボルトの中心から概ね半径５０〜６０ｍｍ程度までとなる。このため、本手法でもボルトから離れた箇所の摩擦面の効きが悪くなる。特にフランジ上面に配置される添板は、ボルト締結部から先が片持ち梁形式となるため、先端ほど面外変形が生じ、摩擦力が効かなくなる。
【００１３】
また、「既存フランジの板厚よりも０．２〜０．８ｍｍだけ薄いスペーサ」をボルト貫通部に挟む必要があり、既存フランジの板厚に対するスペーサの板厚の精度管理にも労力を要し、コスト高になる。さらに、特許文献１と同様、特許文献３の手法は摩擦面処理に伴うコスト増が常に発生することになる。
【００１４】
本発明は、上記事情に鑑みてなされたものであり、あと付けで簡単に水平ブレースを設置することを可能にするあと付けブレースの接合構造を提供することを目的とする。
【課題を解決するための手段】
【００１５】
上記の目的を達するために、この発明は以下の手段を提供している。
【００１６】
本発明のあと付けブレースの接合構造は、フランジを有する鉄骨で構成された通し梁と、該通し梁に対して水平方向に略直交する方向に連設された直交梁と、の接合部に、水平ブレースをあと付けするための構造であって、前記通し梁のフランジの外面に対向配置され、前記水平ブレースが接続される板状の固定板と、前記固定板とともに前記フランジを挟み込むように配設された水平板部と、該水平板部に直交する方向に延設され前記通し梁のウェブに連結される鉛直板部と、を備えたアングル部材と、前記フランジの側端面に並設配置され、前記固定板と、前記水平板部と、の間に介装される介装板と、を備え、前記鉛直板部と前記ウェブとがボルト接合され、前記固定板、前記介装板、および前記水平板部がボルト接合されていることを特徴としている。
【００１７】
また、本発明のあと付けブレースの接合構造は、フランジを有する鉄骨で構成された通し梁に、水平ブレースをあと付けするための構造であって、前記通し梁のフランジの外面に対向配置され、前記水平ブレースが接続される板状の固定板と、前記固定板とともに前記フランジを挟み込むように配設された水平板部と、該水平板部に直交する方向に延設され前記通し梁のウェブに連結される鉛直板部と、を備えたアングル部材と、前記フランジの側端面に並設配置され、前記固定板と、前記水平板部と、の間に介装される介装板と、を備え、前記鉛直板部と前記ウェブとがボルト接合され、前記固定板、前記介装板、および前記水平板部がボルト接合されていることを特徴としている。
【００１８】
このように構成することで、水平ブレースを既存部材（鉄骨）に固定する部品が一般に使用される鋼板（固定板、アングル部材）とボルトのみから構成されるため、材料が少なく、入手しやすく、加工コストを小さく抑えることができる。このため、施工箇所数が無数に存在する工場施設においては、経済的な効果が非常に大きい。また、現場での溶接や、現場での摩擦面処理作業が不要であり、施工が簡単である。また、固定板をフランジの外側に固定するため、既存部材を避けた配置が可能となり、この点からも簡単に施工できる。さらに、水平ブレースの軸線が通っているため、偏心曲げなどの２次応力が発生しない。また、固定部の応力の流れが明快であり、構造設計がしやすい。さらに、介装板は、既存弦材（通し梁）のフランジからの支圧力を受ける働きと、既存フランジの上側へ水平板部（アングル部材）を配置する目的で設置されるため、介装板の板厚の高精度の管理を行うことが不要である。
【００１９】
また、本発明のあと付けブレースの接合構造においては、前記鉛直板部と前記ウェブとの間に、スペーサが介装されていてもよい。
【００２０】
このようにスペーサを介装させることで、アングル部材を通し梁に取り付ける際に、鉄骨のフランジとウェブとが直交する境界部に存在するフィレットや溶接ビードと、アングル部材の角部と、の干渉を避けることができ、結果として、鉛直板部（アングル部材）をウェブ（鉄骨）に確実、かつ、強固に取り付けることができる。
【発明の効果】
【００２１】
本発明のあと付けブレースの接合構造においては、既存部材（鉄骨）にあと付けで簡単に水平ブレースを設置することができる。
【図面の簡単な説明】
【００２２】
【図１】本発明の実施形態に係るあと付けブレースの接合構造を示す正面図である。
【図２】本発明の実施形態に係るあと付けブレースの接合構造を示す平面図である。
【図３】本発明の実施形態に係るあと付けブレースの接合構造を示す拡大平面図（ブレース省略）である。
【図４】図３のＸ−Ｘ線断面図である。
【図５】図３のＹ−Ｙ線断面図である。
【図６】図３のＺ−Ｚ線断面図である。
【図７】本実施形態に係るあと付けブレースの接合構造の実験例を示す平面図である。
【図８】実験例において水平ブレースに発生した荷重履歴を示すグラフである。
【図９】実験例において固定板の通し梁のフランジに対する梁の材軸方向のずれ変形を計測した結果を示すグラフ（２箇所）である。
【発明を実施するための形態】
【００２３】
以下、図面を参照し、本発明の一実施形態に係るあと付けブレースの接合構造について説明する。
【００２４】
ここで、本実施形態は、既存の工場施設や体育館などの大空間の屋根面にあと付けで簡単に水平ブレースを設置するための構造に関するものである。また、本実施形態では、あと付けの水平ブレースを設置して耐震性能の向上を図る対象が、既存の工場施設や体育館などの大空間／大スパンの屋根面を有する建物であるものとして説明を行う。さらに、本実施形態では、建物の屋根面がトラス形式の大梁を備えて構成され、この大梁に水平ブレースを追加設置して耐震性能の向上を図るものとして説明を行う。
【００２５】
具体的に、図１に示すように、本実施形態の建物の屋根面架構（大梁）１は、上側の水平梁である上弦材２と、下側の水平梁である下弦材３と、上弦材２と下弦材３を連結するように上弦材２と下弦材３の間に配設された束材（鉛直材）４及びラチス材（斜材）５と、を備えてトラス形式で形成されている。
【００２６】
上弦材２及び下弦材３は、Ｈ形鋼や山形鋼のウェブとフランジを備えた鉄骨（弦材）を用いて構成されている。また、本実施形態の上弦材２と下弦材３はそれぞれ、複数の鉄骨を直交させて組み付け、略格子状に形成されている。
【００２７】
下弦材３は、一方向に延設された通し梁７と、該通し梁７に対して水平方向に直交する方向に連設された直交梁８と、を備えている。通し梁７と、直交梁８とは、連結部材１５によって連結されている。具体的には、通し梁７のフランジ７ａとウェブ７ｂとで囲まれた部分に板状のリブ１６が形成されており、該リブ１６と直交梁８のウェブ８ｂとの間を、板状の連結部材１５を用いて互いにボルト接合して連結されている。
【００２８】
図１から図６に示すように、本実施形態のあと付けブレースの接合構造Ａは、あと付けの水平ブレース６の端部６ａをボルト接合する平板状の固定板１０と、固定板１０とともに通し梁７の下側のフランジ７ａを挟み込むように配設される水平板部９ａおよび該水平板部９ａに直交する方向に延設され通し梁７のウェブ７ｂに連結される鉛直板部９ｂを備えたアングル部材９と、を備えている。
【００２９】
また、固定板１０とアングル部材９の水平板部９ａとの間で、下側のフランジ７ａの側端面に並設するように板状の介装板１２（図５参照）が配設されている。固定板１０、介装板１２、およびアングル部材９の水平板部９ａは、ボルト接合されている。なお、水平板部９ａは、通し梁７にアングル部材９を配置したときに、水平板部９ａの先端がフランジ７ａの先端よりも延出した状態になるように構成されている。
【００３０】
さらに、アングル部材９の鉛直板部９ｂと通し梁７のウェブ７ｂとの間には、板状のスペーサ１３（図５参照）が配設されている。鉛直板部９ｂ、スペーサ１３、および通し梁７のウェブ７ｂは、ボルト接合されている。
【００３１】
図２〜図４に示すように、本実施形態の固定板１０は、平面視で正方形の４つの隅部を対角線の延長線に沿って外側に張り出すようにして略十字状に形成され、中央の正方形部分が応力伝達部１０ａとされ、４つの張り出した隅部がそれぞれ水平ブレースの端部をボルト接合する接合部１０ｂとされている。
【００３２】
固定板１０は、下弦材３の十字状に直交する鉄骨（弦材）の交点Ｏ１にその中心Ｏ２を合わせ、且つ対角線（接合部１０ｂが形成されている部分）が下弦材３の直交する鉄骨の延設方向に対して略４５°の角度をなすように、また、下弦材３の通し梁７のフランジ７ａおよび直交梁８のフランジ８ａの外面に面接触させて配設される。
【００３３】
図３、図５、図６に示すように、アングル部材９は、矩形板状に形成され、一面から他面に貫通する複数（本実施形態では３箇所）のボルト挿通孔が一側部に沿って所定の間隔をあけて穿設された水平板部９ａと、該水平板部９ａに直交する方向に延設され、一面から他面に貫通する複数（本実施形態では３箇所）のボルト挿通孔が一側部に沿って所定の間隔をあけて穿設された矩形板状の鉛直板部９ｂと、を備えている。つまり、アングル部材９は、側面視略Ｌ字状に形成された部材である。
【００３４】
そして、このアングル部材９は、下弦材３の通し梁７のフランジ７ａの内面（上面）に水平板部９ａの他側部側を面接触させつつ、固定板１０に穿設されたボルト挿通孔と、一側部側のボルト挿通孔を連通させるように配設される。そして、アングル部材９と固定板１０との隙間に介装板１２を配設した後に、互いに連通したボルト挿通孔にボルトを挿通し、ナットを緊締することにより、固定板１０と水平板部９ａの他側部側とで通し梁７のフランジ７ａを挟み込み、固定板１０とアングル部材９（通し梁７）を接合することができるように構成されている。
【００３５】
また、このアングル部材９は、下弦材３の通し梁７のウェブ７ｂの両面に鉛直板部９ｂを対向配置させつつ、ウェブ７ｂに穿設されたボルト挿通孔と、鉛直板部９ｂのボルト挿通孔を連通させるように配設される。このときウェブ７ｂを挟んで両側にアングル部材９が配設されている。そして、アングル部材９と通し梁７のウェブ７ｂとの隙間にスペーサ１３を配設した後に、互いに連通したボルト挿通孔にボルトを挿通し、ナットを緊締することにより、通し梁７のウェブ７ｂの両側に配設されたアングル部材９の鉛直板部９ｂで通し梁７のウェブ７ｂを挟み込み、通し梁７とアングル部材９とを接合することができるように構成されている。
【００３６】
また、本実施形態では、下弦材３の直交する鉄骨の交点Ｏ１、ひいては固定板１０の中心Ｏ２を挟んで、通し梁７のウェブ７ｂを挟んで両側のフランジ７ａを挟み込むようにそれぞれアングル部材９が配設されている。すなわち、本実施形態では、交点Ｏ１の周りに４つのアングル部材９が設けられ、通し梁７のフランジ７ａを固定板１０と各アングル部材９で挟み込んで、固定板１０が下弦材３の所定位置に接合配置されている。また、アングル部材９と通し梁７は、アングル部材９の鉛直板部９ｂと通し梁７のウェブ７ｂとをボルト接合することにより連結されている。このように構成することで、アングル部材９を介して固定板１０と通し梁７とが連結されることになり、固定板１０の自重を支え、落下することがない。
【００３７】
そして、上記構成からなる本実施形態のあと付けブレースの接合構造Ａにおいては、新たに追加する水平ブレース６が固定板１０の対角線上の４隅の接合部１０ｂにそれぞれボルト接合して配設される。
【００３８】
これにより、屋根面で発生する水平方向の地震力は、直交する上弦材や下弦材の鉄骨に集まるが、直交する下弦材３と対角線上に配置された水平ブレース６の交点中心Ｏ１、Ｏ２が一致しているため、偏心による２次応力が発生せず、力学的に明快な補強を行うことができる。
【００３９】
本実施形態のあと付けブレースの接合構造Ａにおいては、固定板１０が通し梁７にのみ直接接合されている。通し梁７のウェブ７ｂには、ボルトを挿通させるため現場孔開け加工を行い、ウェブ７ｂの両側にスペーサ１３を挟んでアングル部材９がボルト接合されている。アングル部材９の水平板部９ａは、フランジ７ａの上面に接して配置される。
【００４０】
このように構成することで、通し梁７に直交する応力は、水平ブレース６→介装板１２→通し梁７のフランジ７ａの側端面を通して伝達される。介装板１２と通し梁７のフランジ７ａの側端面との力のやり取りは支圧力である。
【００４１】
また、通し梁７の材軸方向の力は、水平ブレース６→アングル部材９→ボルト（アングル部材９とウェブ７ｂとを連結するボルト）の軸）→ウェブ７ｂのボルト孔を通して伝達される。ボルトの軸とウェブ７ｂのボルト孔との力のやり取りは支圧力である。
【００４２】
本実施形態のあと付けブレースの接合構造Ａによれば、既存部材への孔開け加工は、通し梁７のウェブ７ｂにのみ行われる。したがって、既存梁のフランジおよびウェブの両方に孔開け加工していた在来工法と比較して、孔開けの数を少なくすることができる。また、ウェブ７ｂの孔開け加工作業はフランジに比べて板厚が薄いため施工が容易である。さらに、切削屑もフランジに落下するため、床面に落下することが無く、特に生産機械などが床面に配置されている工場などにおいて好適に採用することができる。
【００４３】
また、上記したように、通し梁７のフランジ７ａに孔開け加工が不要であるため、梁の断面欠損による性能劣化が無くなる。
【００４４】
また、水平ブレース６からの応力が通し梁７に流れるため、水平ブレース６の性能が直交梁８との接合強度に依存せず、水平ブレース６の性能が安定して発揮される。また、通し梁７に直交梁８が接合されている場合であっても、水平ブレース６からの応力が一旦通し梁７に流れてから直交梁８に流れるため、力の流れが明快になり、補強設計がしやすくなる。
【００４５】
また、水平ブレース６を既存部材（通し梁７）に固定する部品が一般に使用される鋼板とボルトのみから構成されるため、材料が少なく、入手しやすく、加工コストを小さく抑えることができる。このため、施工箇所数が無数に存在する工場施設などにおいては、経済的な効果が非常に大きい。また、現場での溶接や摩擦面処理作業が不要であり、施工が簡単である。
【００４６】
また、固定板１０をフランジ７ａの外側に固定するため、既存部材を避けた配置が可能となり、この点からも簡単に施工できる。
【００４７】
さらに、ブレース６の軸線が通っているため、偏心曲げなどの２次応力が発生せず、固定部１０の応力の流れが明快であり、構造設計がしやすい。
【００４８】
そして、本実施形態に係る介装材１２は、既存弦材（通し梁７）のフランジ７ａからの支圧力を受ける働きと、既存フランジ７ａの上側へアングル部材９を配置する目的で設置されるため、特許文献３のようなスペーサ板厚の高精度の管理を行うことが不要である。
【００４９】
（実験例）
本実施形態のあと付けブレースの接合構造Ａについての実験例について以下に示す。
図７に示すように、水平ブレース６として２Ｌ−６５×６５×６を使用して、一直線上にある左右の水平ブレース６に交互に漸増引張荷重を付加し、接合部の耐力確認および固定板１０の通し梁７に対するずれ変形を計測したものである。
上記水平ブレース６の場合、短期軸力が３５４ｋＮであり、その１．２倍の４２５ｋＮの耐力が確認されれば、建築構造における「保有耐力接合」が実証されたことになる。
【００５０】
図８に示すように、水平ブレース６に発生した荷重履歴では、加力ステップ７において４３０ｋＮを計測し、保留耐力接合の目標荷重をクリアした。
【００５１】
図９では固定板１０の通し梁（フランジ）７に対する材軸方向のずれ変形を材軸方向の２箇所で計測した結果を示している。具体的には、図７に示すように、通し梁７のフランジ７ａの下面と固定板１０の下面に互いの距離を計測するセンサＳ１〜Ｓ４を取り付けて計測した。図９（ａ）では、センサＳ１とＳ２との間のずれ変形を計測した結果Ｇｎｗを示しており、図９（ｂ）では、センサＳ３とＳ４との間のずれ変形を計測した結果Ｇｓｅを示している。図９に示すように、計測結果はいずれも０．５ｍｍ未満であり、実際の水平ブレース６が５ｍ以上になることを考慮しなくとも十分に無視できる値であることが分かる。
【００５２】
以上、本発明に係るあと付けブレースの接合構造の一実施形態について説明したが、本発明は上記の一実施形態に限定されるものではなく、その趣旨を逸脱しない範囲で適宜変更可能である。
【００５３】
例えば、上記の実施形態では大空間／大スパンの屋根面を構成する大梁を上弦材２と下弦材３を持つトラス形式とした場合であったが、大梁をＨ形鋼とした場合でも、Ｈ形鋼がウェブとフランジを有する鉄骨からなる水平の既存部材であることに変わりがなく、本発明が適用できることは言うまでもない。
【００５４】
また、本実施形態では、あと付けブレースの接合構造Ａを下弦材３側に取り付けるものとして説明を行ったが、本発明に係るあと付けブレースの接合構造Ａは、上弦材２側にも下弦材３側にも施工することができ、上弦材２側、下弦材３側のどちらであっても同様の効果が得られることは言うまでもない。また、本実施形態では、あと付けブレースの接合構造Ａを下弦材３（通し梁７）の下側のフランジ７ａに設けた場合の説明をしたが、設置箇所が許容されるのであれば、上側のフランジに設けてもよい。
【００５５】
さらに、本実施形態では、通し梁７と直交梁８との接合部に水平ブレース６を取り付ける場合の説明をしたが、本発明に係るあと付けブレースの接合構造Ａは、フランジ７ａを有する通し梁７（鉄骨）に直接取り付けられるものであるから、通し梁７と直交梁８との接合部以外の場面でも実現可能である。例えば、通し梁７と直交する方向以外の方向に連設される梁との接合部に水平ブレース６を取り付けてもよいし、通し梁７に連設される梁が無い箇所に水平ブレース６を取り付けてもよい。
【符号の説明】
【００５６】
１      屋根面架構（大梁）
２      上弦材（既存部材）
３      下弦材（既存部材）
４      束材
５      ラチス材
６      水平ブレース（あと付けブレース）
７      通し梁
７ａ    フランジ
７ｂ    ウェブ
８      直交梁
８ａ    フランジ
８ｂ    ウェブ
９      アングル部材
９ａ    水平板部
９ｂ    鉛直板部
１０    固定板
１０ａ  応力伝達部
１０ｂ  接合部
１２    介装板
１３    スペーサ
Ａ      あと付けブレースの接合構造
【図１】
2020002743.tif 000003
【図２】
2020002743.tif 000004
【図３】
2020002743.tif 000005
【図４】
2020002743.tif 000006
【図５】
2020002743.tif 000007
【図６】
2020002743.tif 000008
【図７】
2020002743.tif 000009
【図８】
2020002743.tif 000010
【図９】
2020002743.tif 000011